(57)【要約】【課題】清掃性や外観品質の向上を図りつつ、製造コストの低減、生産性の向上、及び、ガイド部材の耐久性向上等をより確実に図ることができる操作装置を提供する。【解決手段】操作装置１は、ガイド本体部２１及び鍔部２２を有するガイド部材２と、ガイド本体部２１が内周に配置される筒状のガイド被挿通部３１１及びガイド被挿通部３１１の一端部開口側に向けて開口するねじ穴３１２Ａを有する継手部材３と、透孔４１４及び係止部４１２を有し、継手部材３の内部に配置された保持部材４とを備える。ガイド部材２は、その全体が薄肉の高剛性材料からなり、ガイド本体部２１の他端部に形成された被係止部２３を有する。ガイド本体部２１内に配置された係止部４１２が被係止部２３に係止され、かつ、鍔部２２及び継手部材３により洗面ボール１００が挟み込まれた状態で、所定の雄ねじ１０が透孔４１４を通してねじ穴３１２Ａに螺合された状態とされる。【選択図】      図５
2018087408.tif 000002
【特許請求の範囲】
【請求項１】
筒状のガイド本体部、及び、当該ガイド本体部の一端部において外側に突出し槽体又はこの近傍の構造物である取付対象物の表面上に配置される鍔部を有し、前記ガイド本体部が前記取付対象物の貫通孔に挿通された筒状のガイド部材と、
前記ガイド本体部の内周に配置され、前記ガイド本体部の内周面に沿って往復移動可能な操作ボタンと、
前記操作ボタンを往復移動可能な状態で支持する操作軸を有してなる操作側機構部と、
前記操作ボタンの変位による駆動力を前記槽体の排水口に設けられた栓蓋側へと伝達する伝達部材とを備える操作装置であって、
一端部において開口し、前記ガイド本体部が内周に配置される筒状のガイド被挿通部、及び、当該ガイド被挿通部よりも当該ガイド被挿通部の中心軸側に形成されるとともに、当該中心軸方向に沿って延びるねじ穴を有し、当該ねじ穴が自身の内部において前記ガイド被挿通部の一端部開口側に向けて開口する継手部材と、
前記操作側機構部を保持する機構保持部、当該機構保持部よりも外側において貫通形成された透孔、及び、当該透孔よりも外側に位置する係止部を有するとともに、前記継手部材の内部に配置された保持部材とを具備し、
前記ガイド部材は、その全体が薄肉の高剛性材料からなるとともに、前記ガイド本体部の他端部において内側に突出形成された被係止部を有し、
前記ガイド本体部内に配置された前記係止部が前記被係止部に係止され、かつ、前記鍔部及び前記継手部材の端部により前記取付対象物が挟み込まれた状態で、所定の雄ねじが前記透孔を通して前記ねじ穴に螺合された状態とされていることを特徴とする操作装置。
【請求項２】
前記ガイド部材及び前記保持部材の少なくとも一方は、前記ガイド本体部内に配置された前記係止部が前記被係止部に接触又は接近した状態において、当該係止部の前記ガイド本体部の一端部側に向けた相対移動を規制し、前記ガイド部材の軸方向に沿った前記ガイド部材に対する前記保持部材の相対位置を一定位置にて維持可能な軸方向位置維持手段を有することを特徴とする請求項１に記載の操作装置。
【請求項３】
前記ガイド部材の軸と直交する方向に沿った前記ガイド本体部に対する前記係止部の相対移動を規制し、前記直交する方向に沿った前記ガイド部材に対する前記保持部材の相対位置を一定位置にて維持可能な直交方向位置維持手段を有することを特徴とする請求項１又は２に記載の操作装置。
【請求項４】
前記ガイド本体部の中心軸は、水平方向又は前記ガイド本体部の一端部から他端部に向けて徐々に下がる斜め水平方向に延びるとともに、
前記操作ボタンは、前記中心軸方向に往復移動可能に構成され、
前記保持部材は、前記ガイド本体部の内部に浸入し前記ガイド本体部の内側面下部を伝わって流れる水を通すための隙間部を備えるとともに、
前記ガイド部材は、前記隙間部を通過した水を前記ガイド本体部の外部へと流出させるための通水用の流出部を備えることを特徴とする請求項１乃至３のいずれか１項に記載の操作装置。
【請求項５】
前記保持部材及び前記ガイド部材は、前記ガイド本体部の中心軸の周方向に沿った前記ガイド本体部及び前記保持部材の相対位置関係を正規の相対位置関係とは異なる誤った相対位置関係とした状態であっても、前記係止部を、前記ガイド本体部の一端部開口から前記ガイド本体部内へと挿通可能に構成されており、
前記ガイド部材は、所定の第一誤取付防止部を有するとともに、
前記保持部材は、所定の第二誤取付防止部を有し、
前記ガイド本体部及び前記保持部材を前記誤った相対位置関係とした状態で、前記係止部を、前記ガイド本体部の一端部開口から前記ガイド本体部内へと挿通したとき、前記第一誤取付防止部及び前記第二誤取付防止部が接触することで、前記被係止部に対し前記係止部が係止された状態とならないように構成されていることを特徴とする請求項１乃至４のいずれか１項に記載の操作装置。
【請求項６】
前記操作ボタンは、往動に伴い前記ガイド本体部の他端部に接近するように構成され、
前記保持部材は、通常使用の際に想定される前記操作ボタンの往復移動範囲内において前記操作ボタンを最も往動させた位置に配置したときに、当該操作ボタンと接触し、当該操作ボタンのそれ以上の往動を規制する保護部を有することを特徴とする請求項１乃至５のいずれか１項に記載の操作装置。
【発明の詳細な説明】
【技術分野】
【０００１】
本発明は、排水口に設けられた栓蓋を操作するための操作装置に関する。
【背景技術】
【０００２】
従来、栓蓋を遠隔操作し、排水口を開閉させるための操作装置として、往復移動可能な操作ボタンを用いたものが知られている。
【０００３】
このような操作装置としては、操作ボタンと、当該操作ボタンを往復移動可能な状態で支持する操作軸を有してなる操作側機構部と、操作ボタンが内周に配置され、操作ボタンの移動をガイドする筒状のガイド部材とを備えたものが提案されている。尚、ガイド部材は、自身の一端部に外側に突出形成された鍔部を備えており、当該鍔部と所定の取付用の部材との間で所定の取付対象物（例えば、浴槽などの槽体やその近傍の構造物）を挟み込んだ状態とすることにより、前記取付対象物に取付けられるのが一般的である。
【０００４】
ところで、一般に鍔部は、強度等を考慮して厚肉に形成される。そのため、鍔部の外周に水が溜まりやすく、汚れが付着してしまいやすい。また、前記取付対象物の表面から鍔部が突出した状態となり、見栄えが悪くなってしまうおそれがある。そこで近年では、鍔部に相当する部分を金属板からなる金属板製フランジにより構成することで、鍔部を薄肉とし、清掃性や外観品質の向上を図る技術が提案されている（例えば、特許文献１等参照）。当該技術において、前記ガイド部材に相当する部分は、外周に雄ねじ部を有するガイド筒体と、当該ガイド筒体に固定された金属板製フランジとによって構成されている。そして、金属板製フランジに設けられた掛穴を通して、ガイド筒体に設けられた爪部を金属製板フランジへと係止することで、ガイド筒体に対し金属板製フランジが固定されている。
【先行技術文献】
【特許文献】
【０００５】
【特許文献１】特開２０１２−１７２５１２号公報
【発明の概要】
【発明が解決しようとする課題】
【０００６】
しかしながら、上記技術では、ガイド部材を得るにあたって、ガイド筒体や金属製板フランジに固定用の構造（掛穴や爪部）を設ける必要があり、また、製造工程においては、両者を固定するための工程（例えば、組立工程やインサート成形工程など）を設ける必要がある。そのため、製造コストの増大や生産性の低下を招いてしまうおそれがある。
【０００７】
さらに、ガイド筒体に対して金属製板フランジを強固に固定することは容易ではなく、ガイド部材の耐久性を十分に確保することができないおそれがある。万が一耐久性が不十分であると、例えば、取付対象物へとガイド部材を取付けた際などに、ガイド筒体から金属製板フランジが脱落してしまい、装置（ガイド部材）の破損を招いてしまうおそれがある。
【０００８】
本発明は、上記事情に鑑みてなされたものであり、その目的は、清掃性や外観品質の向上を図りつつ、製造コストの低減、生産性の向上、及び、ガイド部材の耐久性向上等をより確実に図ることができる操作装置を提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．筒状のガイド本体部、及び、当該ガイド本体部の一端部において外側に突出し槽体又はこの近傍の構造物である取付対象物の表面上に配置される鍔部を有し、前記ガイド本体部が前記取付対象物の貫通孔に挿通された筒状のガイド部材と、
前記ガイド本体部の内周に配置され、前記ガイド本体部の内周面に沿って往復移動可能な操作ボタンと、
前記操作ボタンを往復移動可能な状態で支持する操作軸を有してなる操作側機構部と、
前記操作ボタンの変位による駆動力を前記槽体の排水口に設けられた栓蓋側へと伝達する伝達部材とを備える操作装置であって、
一端部において開口し、前記ガイド本体部が内周に配置される筒状のガイド被挿通部、及び、当該ガイド被挿通部よりも当該ガイド被挿通部の中心軸側に形成されるとともに、当該中心軸方向に沿って延びるねじ穴を有し、当該ねじ穴が自身の内部において前記ガイド被挿通部の一端部開口側に向けて開口する継手部材と、
前記操作側機構部を保持する機構保持部、当該機構保持部よりも外側において貫通形成された透孔、及び、当該透孔よりも外側に位置する係止部を有するとともに、前記継手部材の内部に配置された保持部材とを具備し、
前記ガイド部材は、その全体が薄肉の高剛性材料からなるとともに、前記ガイド本体部の他端部において内側に突出形成された被係止部を有し、
前記ガイド本体部内に配置された前記係止部が前記被係止部に係止され、かつ、前記鍔部及び前記継手部材の端部により前記取付対象物が挟み込まれた状態で、所定の雄ねじが前記透孔を通して前記ねじ穴に螺合された状態とされていることを特徴とする操作装置。
【００１１】
尚、「薄肉」とあるのは、例えば、厚さが１．５ｍｍ以下であることを意味する。また、「高剛性材料」としては、ステンレスや真鍮などの金属、ＰＰＳなどの樹脂材料、及び、セラミック材料等を挙げることができる。
【００１２】
上記手段１によれば、ガイド部材の全体は薄肉の高剛性材料により形成されているため、鍔部についても薄肉とすることができる。従って、清掃性や外観品質の向上を図ることができる。
【００１３】
また、上記手段１によれば、ガイド部材はその全体が薄肉の高剛性材料からなるため、鍔部に相当する部位を別体とした場合に必要となる、鍔部に相当する部位とその他の部位とを固定するための構造や、両者を固定するための工程は不要となる。そのため、製造コストの低減や生産性の向上を図ることができる。
【００１４】
さらに、上記手段１によれば、鍔部に相当する部位を別体とした場合に懸念される、ガイド部材の耐久性低下といった事態は生じることなく、ガイド部材において十分な耐久性をより確実に確保することができる。
【００１５】
加えて、上記手段１によれば、ガイド本体部内に保持部材の係止部を配置して当該係止部がガイド部材の被係止部へと係止され得る状態とし、かつ、ガイド本体部の外側に継手部材のガイド被挿通部を配置した上で、所定の雄ねじを保持部材に形成された透孔を通して継手部材のねじ穴に螺合することで、ガイド部材や継手部材等を取付対象物へと取付けることができる。従って、比較的簡便な手法によって、取付対象物に対しガイド部材や継手部材等を取付けることができ、良好な取付作業性を得ることができる。
【００１６】
また、取付後においては、被係止部に対し鍔部から遠ざかる方向の引っ張り力が加わった状態となる。そのため、取付対象物側に対し鍔部を強く押付けた状態とすることができ、取付対象物に対しガイド部材を強固かつ安定した状態で固定することができる。
【００１７】
さらに、上記手段１によれば、取付対象物や、取付対象物及び継手部材間に配置されるシール部材の厚さの変化によって、取付対象物の表面に対する継手部材の相対位置が変化する一方、取付対象物などの厚さが変わったとしても、取付対象物の表面に対するガイド部材やこれに係止される保持部材の相対位置は変化せず一定とされる。従って、保持部材に保持される操作側機構部や操作側機構部により支持される操作ボタンについても、取付対象物の表面に対する相対位置を一定とすることができる。これにより、特段の対処を行うことなく、各種取付対象物に対し、その表面に対する相対位置が一定となった状態で操作ボタンを配置することができる。
【００１８】
手段２．前記ガイド部材及び前記保持部材の少なくとも一方は、前記ガイド本体部内に配置された前記係止部が前記被係止部に接触又は接近した状態において、当該係止部の前記ガイド本体部の一端部側に向けた相対移動を規制し、前記ガイド部材の軸方向に沿った前記ガイド部材に対する前記保持部材の相対位置を一定位置にて維持可能な軸方向位置維持手段を有することを特徴とする手段１に記載の操作装置。
【００１９】
上記手段２によれば、軸方向位置維持手段によって、保持部材の係止部がガイド部材の被係止部に接触又は接近した状態〔すなわち、被係止部へと係止部が係止又はほぼ係止され、保持部材及びガイド部材がガイド部材の軸（ガイド本体部の中心軸）方向に沿って適切な位置関係でセットされた状態〕で、両部材の相対移動を規制することができ、ガイド部材の軸（ガイド本体部の中心軸）方向に沿った両部材の相対位置を一定位置にて維持することができる。従って、操作装置の取付時などにおいて、ガイド部材に対して保持部材が容易に動いてしまったり、ガイド部材から保持部材が抜けてしまったりすることをより確実に防止できる。その結果、より良好な取付作業性を得ることができる。
【００２０】
手段３．前記ガイド部材の軸と直交する方向に沿った前記ガイド本体部に対する前記係止部の相対移動を規制し、前記直交する方向に沿った前記ガイド部材に対する前記保持部材の相対位置を一定位置にて維持可能な直交方向位置維持手段を有することを特徴とする手段１又は２に記載の操作装置。
【００２１】
上記手段３によれば、直交方向位置維持手段により、ガイド部材の軸（ガイド本体部の中心軸）と直交する方向に沿ったガイド部材及び保持部材の相対位置を一定に保つことができる。これにより、操作装置の取付やメンテナンス時などにおいて、前記直交方向に沿った、保持部材により支持される操作側機構部とガイド部材との相対位置を容易に一定に保つことができ、ひいては、前記直交方向に沿った、ガイド部材と操作ボタンとの相対位置についても容易に一定に保つことができる。従って、取付後の操作装置において、ガイド部材に対する操作ボタンの位置ずれが生じてしまうことをより確実に防止できる。その結果、良好な美観をより確実に得ることができるとともに、ガイド部材によって操作ボタンをより適切にガイドすることが可能となる。
【００２２】
また、上記手段３によれば、操作装置の取付時などにおいて、前記直交方向に沿ったガイド部材に対する保持部材の位置を特に調節する必要がなくなり、また、保持部材の透孔を通したねじ穴に対する雄ねじの螺合などを容易に行うことができる。これにより、取付作業性を一層向上させることができる。
【００２３】
尚、例えば、ガイド本体部の外側面とガイド被挿通部の内側面とを接触又は近接させることで、前記直交方向に沿ったガイド部材に対する継手部材の相対移動を規制することとしてもよい。この場合には、前記直交方向に沿った保持部材や操作ボタン、継手部材等の相対位置は、ガイド部材を基準とした一定位置に定まることとなる。従って、操作装置の取付時において部材の位置調節を特に行うことなく、各部材をより正確に一定位置に配置することができる。その結果、良好な美観をより一層確実に得ることができるとともに、取付作業性の一段の向上を図ることができる。
【００２４】
手段４．前記ガイド本体部の中心軸は、水平方向又は前記ガイド本体部の一端部から他端部に向けて徐々に下がる斜め水平方向に延びるとともに、
前記操作ボタンは、前記中心軸方向に往復移動可能に構成され、
前記保持部材は、前記ガイド本体部の内部に浸入し前記ガイド本体部の内側面下部を伝わって流れる水を通すための隙間部を備えるとともに、
前記ガイド部材は、前記隙間部を通過した水を前記ガイド本体部の外部へと流出させるための通水用の流出部を備えることを特徴とする手段１乃至３のいずれかに記載の操作装置。
【００２５】
上記手段４によれば、ガイド本体部の内部に浸入した水〔通常、重力によってガイド本体部の内側面下部に付着した（溜まった）状態となる〕を、ガイド本体部の内側面下部を伝わせつつ、隙間部及び流出部を通して、ガイド本体部の外部へと流出させることができる。従って、ガイド本体部の内部（例えば、ガイド本体部の内側面下部とこれに接触する保持部材とで形成された凹み状の角部分など）において水が溜まってしまうことをより確実に防止できる。その結果、ガイド本体部や保持部材に対する汚れの付着を抑制することができ、衛生性や清掃性を高めることができる。
【００２６】
手段５．前記保持部材及び前記ガイド部材は、前記ガイド本体部の中心軸の周方向に沿った前記ガイド本体部及び前記保持部材の相対位置関係を正規の相対位置関係とは異なる誤った相対位置関係とした状態であっても、前記係止部を、前記ガイド本体部の一端部開口から前記ガイド本体部内へと挿通可能に構成されており、
前記ガイド部材は、所定の第一誤取付防止部を有するとともに、
前記保持部材は、所定の第二誤取付防止部を有し、
前記ガイド本体部及び前記保持部材を前記誤った相対位置関係とした状態で、前記係止部を、前記ガイド本体部の一端部開口から前記ガイド本体部内へと挿通したとき、前記第一誤取付防止部及び前記第二誤取付防止部が接触することで、前記被係止部に対し前記係止部が係止された状態とならないように構成されていることを特徴とする手段１乃至４のいずれかに記載の操作装置。
【００２７】
尚、「ガイド本体部の中心軸の周方向に沿ったガイド本体部及び保持部材の相対位置関係」とあるのは、換言すれば、ガイド本体部の一端側からガイド本体部及び保持部材を見たときにおける両者の相対位置関係ということもできる。また、「被係止部に対し係止部が係止された状態とならない」とあるのは、被係止部に対し係止部が全く係止されない場合のみならず、設計上係止部が係止されるべき被係止部に対し、少なくとも一部の係止部が係止されない場合も含む。
【００２８】
上記手段５によれば、仮にガイド本体部及び保持部材を誤った相対位置関係とした状態で、係止部をガイド本体部内へと挿通してしまった場合であっても、第一誤取付防止部及び第二誤取付防止部が接触することで、係止部のそれ以上の挿通を規制することができ、ひいては被係止部に対し係止部が係止された状態となってしまうことを防止できる。例えば、第一誤取付防止部及び第二誤取付防止部が接触することで、保持部材が本来配置されるべき位置の手前までしか挿通されないようにすることができる。従って、取付作業者が細心の注意を払わずとも、誤った相対位置関係でガイド部材や保持部材が取付けられてしまうことをより確実に防止できる。これにより、取付作業性の向上をより図ることができるとともに、取付られた操作装置において、想定した機能を十分に発揮させることができる。
【００２９】
手段６．前記操作ボタンは、往動に伴い前記ガイド本体部の他端部に接近するように構成され、
前記保持部材は、通常使用の際に想定される前記操作ボタンの往復移動範囲内において前記操作ボタンを最も往動させた位置に配置したときに、当該操作ボタンと接触し、当該操作ボタンのそれ以上の往動を規制する保護部を有することを特徴とする手段１乃至５のいずれかに記載の操作装置。
【００３０】
尚、「通常使用の際」とあるのは、換言すれば、適正な使用方法を用いたときということもできる。
【００３１】
上記手段６によれば、操作ボタンが保持部材に設けられた保護部と接触することで、操作ボタンにおける過度の往動を規制することができる。これにより、例えば操作ボタンに対し過度の押圧力が加えられること等によって、操作側機構部やこれを保持する機構保持部に対し、過度に大きな力が加わってしまうことを抑制できる。そのため、機構保持部から操作側機構部が外れてしまったり、操作側機構部や機構保持部に破損が生じてしまったりすることをより確実に防止できる。その結果、装置の耐久性を効果的に高めることができる。
【図面の簡単な説明】
【００３２】
【図１】操作装置の斜視図である。
【図２】図１におけるＪ−Ｊ線において操作装置等の一部を破断した状態を示す一部破断側面図である。
【図３】図１におけるＫ−Ｋ線において操作装置等の一部を破断した状態を示す一部破断平面図である。
【図４】操作装置１の断面斜視図である。
【図５】図１のＬ−Ｌ線における操作装置等の断面底面図である。
【図６】ガイド部材をその一端部側から見たときにおけるガイド部材の斜視図である。
【図７】ガイド部材をその他端部側から見たときにおけるガイド部材の斜視図である。
【図８】ガイド部材とこれの内側にセットされた保持部材とを示す一部破断側面図である。
【図９】保持部材の正面図である。
【図１０】保持部材の側面図である。
【図１１】図８における第一仮想円内を示す拡大図である。
【図１２】図８における第二仮想円内を示す拡大図である。
【発明を実施するための形態】
【００３３】
以下に、一実施形態について図面を参照しつつ説明する。本実施形態において、操作装置１は、図１〜図５に示すように、槽体及び取付対象物としての洗面ボール１００（図１及び図４では不図示）に取付けられている。尚、図２は、図１におけるＪ−Ｊ線において操作装置１等の一部を破断した状態を示す一部破断側面図である。図３は、図１におけるＫ−Ｋ線において操作装置１等の一部を破断した状態を示す一部破断平面図である。図４は、操作装置１の断面斜視図である。図５は、図１のＬ−Ｌ線における操作装置１等の断面底面図である。
【００３４】
洗面ボール１００は、上下方向に延びる側壁部１０１を備えており、当該側壁部１０１の上部には、洗面ボール１００からの水の溢れ出しを防止するための貫通孔としてのオーバーフロー口１０２が貫通形成されている。本実施形態において、少なくとも側壁部１０１のうち操作装置１の取付けられる部位は、ほぼ鉛直方向に延びる形状とされている。
【００３５】
操作装置１は、ガイド部材２、継手部材３、保持部材４、操作側機構部５（図４及び図５では不図示）、操作ボタン６及び伝達部材７を備えている。
【００３６】
ガイド部材２は、図６及び図７に示すように、その全体が薄肉（例えば、１．５ｍｍ以下）とされている。また、ガイド部材２は、全体が高剛性材料（例えば、ステンレスや真鍮等の金属など）により形成されている。さらに、ガイド部材２は、ガイド本体部２１、鍔部２２及び被係止部２３を備えている。
【００３７】
ガイド本体部２１は、自身の内周に配置される操作ボタン６の移動をガイドする役割を有する。ガイド本体部２１は、矩形筒状をなすとともに、オーバーフロー口１０２に挿通されている（図２等参照）。本実施形態において、ガイド本体部２１の中心軸ＣＬ１（ガイド部材２の軸）は、ガイド本体部２１の一端部（洗面ボール１００の貯水空間側端部）から他端部に向けて徐々に下がる斜め水平方向に延びるものとされている。
【００３８】
また、ガイド本体部２１は、洗面ボール１００の貯水空間側に開口している。そのため、前記貯水空間側に位置するガイド本体部２１の一端部開口を通って、ガイド本体部２１の内部に対し水が浸入可能となっている。
【００３９】
鍔部２２は、ガイド本体部２１の一端部において外側に突出した形状をなしており、側壁部１０１の表面上に配置されている。本実施形態において、鍔部２２は、側壁部１０１の表面に接触した状態で配置されている。そのため、側壁部１０１の表面からの鍔部２２の突出量が非常に小さなものとなっており、外観品質や安全性、衛生性などの面において良好な性能を得ることができるようになっている。
【００４０】
被係止部２３は、保持部材４を支持する部位である。被係止部２３は、ガイド本体部２１の他端部に設けられ、ガイド本体部２１の内側面よりも内側に若干（例えば、数ｍｍ）だけ突出した内鍔状をなしている。本実施形態において、被係止部２３は、第一対称部２３Ａ及び第二対称部２３Ｂと、第一誤取付防止部２３Ｃとを有している。
【００４１】
第一対称部２３Ａは、ガイド本体部２１の一端部開口側から見て左に位置し、第二対称部２３Ｂは、前記一端部開口側から見て右に位置している。両対称部２３Ａ，２３Ｂは、ガイド本体部２１の中心軸ＣＬ１を含み鉛直方向に延びる仮想面を対称面とする面対称形状とされている。
【００４２】
また、ガイド本体部２１の他端部下辺において両対称部２３Ａ，２３Ｂは離間しており、この離間した両対称部２３Ａ，２３Ｂ間の隙間によって、流出部２３Ｄが形成されている。流出部２３Ｄは、ガイド本体部２１の内側面下部を伝わって流れる水の通水路としての役割を有する。本実施形態において、ガイド本体部２１の内側面下部を伝わって流れる水は、流出部２３Ｄを通って、ガイド本体部２１の外部へと流出可能となっている。
【００４３】
第一誤取付防止部２３Ｃは、ガイド本体部２１の他端部上辺中央における両対称部２３Ａ，２３Ｂ間に設けられている。第一誤取付防止部２３Ｃは、基本的には、被係止部２３の一部として保持部材４を支持するものであるが、操作装置１の取付時には、後述する第二誤取付防止部４１１Ａと対になることで、誤った状態での取付を防止するように機能する。誤取付の防止に関しては、後に説明する。
【００４４】
尚、ガイド本体部２１は、自身の他端部上辺における両対称部２３Ａ，２３Ｂと第一誤取付防止部２３Ｃとの間に位置する部位によって構成された一対の上側掛かり部２１Ａと、自身の他端部下辺における両対称部２３Ａ，２３Ｂ間に位置する部位によって構成された下側掛かり部２１Ｂとを備えている。両掛かり部２１Ａ，２１Ｂは、前記中心軸ＣＬ１方向に沿ったガイド部材２に対する保持部材４の相対位置を一定に維持するために用いられる。この点については、後に詳述する。
【００４５】
図１〜図５に戻り、継手部材３は、ほぼ直角に屈曲する筒状をなしており、第一筒状部３１及び第二筒状部３２を備えている。
【００４６】
第一筒状部３１は、一体的に形成されたガイド被挿通部３１１及び雌ねじ部配設部３１２を備えている（図３〜５参照）。
【００４７】
ガイド被挿通部３１１は、一端部（洗面ボール１００の貯水空間側）において開口した矩形筒状をなしており、ガイド本体部２１が内周に配置されている。本実施形態において、ガイド被挿通部３１１の中心軸ＣＬ２は、ガイド本体部２１の中心軸ＣＬ１と同軸とされている（図２等参照）。そして、ガイド被挿通部３１１の内側面形状は、ガイド本体部２１の外側面形状に対応するものとなっており、ガイド被挿通部３１１の内側面は、ガイド本体部２１の外側面と接触又は近接した状態となっている。これにより、前記中心軸ＣＬ１と直交する方向に沿ったガイド被挿通部３１１及びガイド本体部２１の相対移動が規制されるようになっている。
【００４８】
雌ねじ部配設部３１２は、ガイド被挿通部３１１の他端部に連なった状態で設けられており、ガイド被挿通部３１１の延びる方向と同一方向に沿って延びる筒状をなしている。雌ねじ部配設部３１２は、基本的には、自身の一端部から自身の他端部側（ガイド被挿通部３１１とは反対側）に向けて徐々に幅が狭くなる一方、次述するねじ穴３１２Ａの形成部に対応する部分のみが外側に突出した形状をなしている。
【００４９】
ねじ穴３１２Ａは、その内周に所定の雌ねじが形成されたものであり、雌ねじ部配設部３１２の内部においてガイド被挿通部３１１の内側面よりも前記中心軸ＣＬ２側に形成されている。また、ねじ穴３１２Ａは、前記中心軸ＣＬ２方向に沿って延びるとともに、ガイド被挿通部３１１の一端部開口側に向けて開口する形状をなしている。本実施形態において、ねじ穴３１２Ａは、前記中心軸ＣＬ２を挟む位置に一対設けられている。
【００５０】
第二筒状部３２は、雌ねじ部配設部３１２の他端側（ガイド被挿通部３１１とは反対側）の下部から下方に向けて延びる円筒状をなしている。第二筒状部３２には、図示しない通水管の一端部が接続されており、当該通水管の他端部は、洗面ボール１００の排水口から流れ落ちた排水の流路となる排水管（図示せず）と接続されている。これにより、継手部材３の内部に入った水は、前記通水管を通って前記排水管へと流れるようになっている。
【００５１】
保持部材４は、継手部材３の内部に配置されており、操作側機構部５を保持するものである。保持部材４は、図８〜図１０に示すように、外環部４１、機構保持部４２及び連結部４３を備えている。
【００５２】
外環部４１は、保持部材４の外縁側部分を構成する部位である。外環部４１は、矩形環状（筒状）をなす基部４１１と、当該基部４１１の一端部において外側に突出形成された環状の係止部４１２とを備えている。
【００５３】
係止部４１２は、ガイド本体部２１の内部に配置されており、被係止部２３に対し係止された状態となっている。また、係止部４１２の外側面部分は、次述する隙間部４１２Ａ、上側突部４１２Ｂ及び下側突部４１２Ｃを除いて、ガイド本体部２１の内側面に対応する形状の矩形状をなしている。
【００５４】
隙間部４１２Ａは、外環部４１を構成する２つの長辺部分のうち、下側に位置する長辺部分の外側面を機構保持部４２側に向けて窪んだ形状とすることによって形成されている。隙間部４１２Ａは、ガイド本体部２１の内部に浸入し、ガイド本体部２１の内側面下部を伝わって流れる水を通すための通水路として機能する。隙間部４１２Ａを通過した水は、前記流出部２３Ｄを通ってガイド本体部２１の外部（継手部材３の内部）へと流出することとなる。
【００５５】
上側突部４１２Ｂは、前記２つの長辺部分のうちの上側に対し一対設けられており、下側突部４１２Ｃは、前記２つの長辺部分のうちの下側に対し一対設けられている。上側突部４１２Ｂ及び下側突部４１２Ｃは、係止部４１２の外側面から若干だけ外側に突出した形状をなしている。
【００５６】
また、図１１及び図１２に示すように、上側突部４１２Ｂは、ガイド部材２における前記両対称部２３Ａ，２３Ｂ及び第一誤取付防止部２３Ｃ間に位置する上側の隙間に配置されており、下側突部４１２Ｃは、ガイド部材２における前記両対称部２３Ａ，２３Ｂ間に位置する下側の隙間に配置されている。尚、図１１は、図８における第一仮想円ＶＣ１内を拡大した図であり、図１２は、図８における第二仮想円ＶＣ２内を拡大した図である。
【００５７】
保持部材４をガイド本体部２１の一端部側に向けて相対移動させようとしたときには、上側掛かり部２１Ａに対し上側突部４１２Ｂが接触したり、下側掛かり部２１Ｂに対し下側突部４１２Ｃが接触したりすることで、ガイド部材２に対する、ガイド本体部２１の一端部側に向けた係止部４１２の相対移動が規制される。これにより、ガイド本体部２１内に配置された係止部４１２が被係止部２３に接触又は接近した状態で、係止部４１２のガイド本体部２１の一端部側に向けた相対移動を規制し、前記中心軸ＣＬ１方向に沿ったガイド部材２に対する保持部材４の相対位置を一定位置にて維持することができるようになっている。すなわち、本実施形態では、両掛かり部２１Ａ，２１Ｂ及び両突部４１２Ｂ，４１２Ｃによって軸方向位置維持手段８が構成されている。
【００５８】
さらに、係止部４１２の外側面部分のほぼ全域（隙間部４１２Ａ等を除いた部位）は、ガイド本体部２１の内側面に近接した状態となっている。これにより、前記中心軸ＣＬ１と直交する方向に沿ったガイド本体部２１に対する係止部４１２の相対移動を規制し、前記直交する方向に沿ったガイド部材２に対する保持部材４の相対位置を一定位置にて維持することができるようになっている。すなわち、本実施形態では、係止部４１２の外側面部分と、ガイド本体部２１の内側面とによって、直交方向位置維持手段９が構成されている。
【００５９】
尚、本実施形態において、ガイド本体部２１の内側面及び保持部材４の外縁部分（係止部４１２）は、それぞれほぼ相似の矩形状をなしているため、仮に保持部材４を上下逆向きにしてしまった場合であっても（前記中心軸ＣＬ１を中心に１８０°回転させてしまった場合であっても）、ガイド本体部２１の一端部開口からガイド本体部２１内へと係止部４１２を挿通することができるようになっている。すなわち、本実施形態では、取付作業時などにおいて、前記中心軸ＣＬ１の周方向に沿ったガイド本体部２１及び保持部材４の相対位置関係を正規の相対位置関係とは異なる誤った相対位置関係とした状態で、係止部４１２を、ガイド本体部２１の一端部開口からガイド本体部２１内へと挿通されることが行われ得るようになっている。しかしながら、第一誤取付防止部２３Ｃ及び次述する第二誤取付防止部４１１Ａの存在により、保持部材４を上下逆にした状態で当該保持部材４をガイド本体部２１内へと挿通した場合には、被係止部２３に対し係止部４１２が係止された状態とはならず、ひいては誤った位置関係での組付けが生じないようになっている。
【００６０】
図８〜図１０に戻り、基部４１１は、矩形筒状をなし、被係止部２３の内周に挿通されている。また、基部４１１における外側面部分の下部には、外側に向けて突出する第二誤取付防止部４１１Ａが設けられている。第二誤取付防止部４１１Ａは、ガイド本体部２１及び保持部材４の相対位置関係を正規の相対位置関係としたときに、ガイド部材２における前記両対称部２３Ａ，２３Ｂ間の下側の隙間と前記中心軸ＣＬ１方向に沿って重なる一方、保持部材４を上下逆にしたときに、ガイド部材２の前記第一誤取付防止部２３Ｃと前記中心軸ＣＬ１方向に沿って重なる位置に設けられている。
【００６１】
さらに、外環部４１の一端側端面には、ガイド本体部２１の一端部開口側、すなわち、操作ボタン６側に向けて突出する保護部４１３が形成されている。保護部４１３は、外環部４１の長辺部分に沿って延びる突条をなしており、外環部４１の各長辺部分に対し１つずつ設けられている。
【００６２】
また、外環部４１を構成する２つの短辺部分は、内側（機構保持部４２側）へと膨らんだ膨出部分を備えており、当該膨出部分に対し透孔４１４が貫通形成されている。透孔４１４は、機構保持部４２を挟む位置に一対設けられており、機構保持部４２よりも外側であって、係止部４１２よりも内側に設けられている。
【００６３】
本実施形態において、ガイド部材２、継手部材３及び保持部材４は、ガイド本体部２１内に配置された係止部４１２が被係止部２３に係止されるとともに、鍔部２２及び継手部材３の一端部により洗面ボール１００が挟み込まれた状態で、所定の雄ねじ１０（図５参照。図３，４では不図示）が透孔４１４を通してねじ穴３１２Ａに螺合された状態とされることにより、洗面ボール１００へと取付けられている（図５参照）。尚、本実施形態では、継手部材３の一端部に対し、弾性変形可能な材料（例えば、ゴムや樹脂など）からなる環状のシール部材１１が取付けられており、当該シール部材１１は、洗面ボール１００及び継手部材３の一端部で挟み込まれた状態とされている。これにより、洗面ボール１００及び継手部材３間からの水の漏出防止が図られている。
【００６４】
機構保持部４２は、円筒状をなしており、自身の内周において操作側機構部５を保持する部位である。本実施形態において、機構保持部４２は、スナップフィットにより、操作側機構部５における後述する保持筒部５１の外周に係合されることで、操作側機構部５を保持している。
【００６５】
連結部４３は、外環部４１の内側において機構保持部４２を支持する部位であり、機構保持部４２の周方向に沿って相互に隙間をあけた状態で複数設けられている。尚、連結部４３間の隙間は、ガイド部材２の内部に浸入した水の通水路として機能する。
【００６６】
図２及び図３に戻り、操作側機構部５は、円筒状の保持筒部５１と、当該保持筒部５１の内周に配置された棒状の操作軸５２とを備えている。尚、図４，５等では、操作側機構部５を省略している。
【００６７】
操作軸５２は、保持筒部５１の軸方向に沿って往復移動可能であり、本実施形態では、ガイド本体部２１の中心軸ＣＬ１方向に往復移動可能となっている。尚、操作軸５２の往動方向とは、継手部材３の奥側へと操作軸５２を押し込むこととなる方向（図２における左から右に向けた方向。図３における下から上に向けた方向）である。
【００６８】
また、本実施形態において、操作側機構部５の内部には、操作軸５２をロックするための図示しないロック機構と、操作軸５２に対しその復動方向に向けた付勢力を付与するための図示しない戻しばねとが設けられている。
【００６９】
操作ボタン６は、洗面ボール１００の排水口に設けられた栓蓋（図示せず）を上下動させる際に、使用者によって押圧操作される部位である。操作ボタン６は、ガイド本体部２１の内周に配置されており、膨出部６１、下垂部６２及びカバー部６３を備えている。
【００７０】
膨出部６１及び下垂部６２は、所定の樹脂により一体形成されており、洗面ボール１００の貯水空間側から見たときに、ガイド本体部２１の内側面形状に対応する矩形状をなしている。
【００７１】
膨出部６１は、先端部が閉塞した矩形筒状をなしており、その先端側の部分がガイド部材２から突出している。また、膨出部６１における下側壁部には、その厚さ方向に貫通する通水孔が形成されており、当該通水孔を通って前記貯水空間側から水がガイド本体部２１内へと浸入可能となっている。さらに、膨出部６１の根元側部分（ガイド本体部２１内に常に配置される部分）のうちガイド本体部２１の内周面に隣接する部位は、外側に向けて若干突出した状態となっている。
【００７２】
加えて、膨出部６１の裏側に対して操作軸５２の一端部が取付けられており、操作ボタン６の押圧に伴い、操作軸５２が往動するようになっている。本実施形態では、操作ボタン６を押圧する度に、前記ロック機構によって操作軸５２が往動した状態で所定位置においてロックされることと、ロック解除に伴い、前記戻しばねからの付勢力によって操作軸５２が復動することとが交互に行われるようになっている。尚、本実施形態において、操作ボタン６は、通常使用の際に想定される自身の往復移動範囲内において最も往動したときの位置から若干だけ復動した位置においてロックされる。
【００７３】
下垂部６２は、膨出部６１の根元側下部から垂れ下がる部分と、この垂れ下がり部分の下部からガイド本体部２１の奥側（他端側）に向けて延び、ガイド本体部２１の内周面に隣接する平板部分とを備えている。前記垂れ下がり部分には、その厚さ方向に貫通する通水孔が複数設けられており、当該通水孔を通して、前記貯水空間側からガイド本体部２１内へと水が浸入可能となっている。
【００７４】
カバー部６３は、金属製の薄板からなり、膨出部６１の表面のうち特に使用者によって視認されやすい部位（先端面や上面、側面など）を覆うものである。カバー部６３によって外観品質の向上が図られている。
【００７５】
但し、本実施形態において、膨出部６１の根元側部分に設けられた前記突出部分は、カバー部６３で覆われておらず、カバー部６３の表面よりも外側に突出した状態となっている。そして、操作ボタン６の往復移動時には、膨出部６１における前記突出部分と下垂部６２における前記平板部分とがガイド本体部２１の内周面に沿って移動し、操作ボタン６の移動がガイドされるようになっている。これにより、操作ボタン６の往復移動時に、それぞれ金属製のカバー部６３とガイド部材２とが接触してしまうことを防止でき、異音の発生防止やカバー部６３等の損傷抑制を図ることが可能となっている。
【００７６】
また、通常使用の際に想定される操作ボタン６の往復移動範囲内において、操作ボタン６を最も往動させた位置に配置したときには、膨出部６１の前記突出部分が上側の保護部４１３と接触し、下垂部６２の前記平板部分が下側の保護部４１３と接触する。これにより、操作ボタン６のそれ以上の往動が規制されるようになっている。尚、本実施形態では、膨出部６１、下垂部６２及び保護部４１３はそれぞれ樹脂製であるため、接触時における異音の発生を効果的に抑制可能となっている。
【００７７】
伝達部材７は、例えば、金属製のワイヤー等により構成されている。伝達部材７は、長尺筒状をなすチューブ部材１２の内周に配置されており、チューブ部材１２に対し相対的に往復移動可能とされている。
【００７８】
また、伝達部材７は、その一端部が操作軸５２の他端部と接触可能に構成されており、操作ボタン６の押圧に伴い操作軸５２が往動することで、チューブ部材１２内にて往動する。これにより、操作ボタン６の変位による駆動力が前記栓蓋側へと伝達されるようになっている。
【００７９】
尚、操作ボタン６を押圧し、前記ロック機構によって操作軸５２をロックした状態においては、伝達部材７が往動した状態で維持される。これにより、伝達部材７によって前記栓蓋が上動した状態で保たれ、ひいては前記排水口が開状態で維持される。
【００８０】
一方、前記ロック機構によるロックが解除されると、操作軸５２とともに伝達部材７が復動する。これにより、前記栓蓋が下動し、前記排水口が閉状態とされる。
【００８１】
次いで、洗面ボール１００に対する操作装置１の取付手法について説明する。
【００８２】
まず、ガイド本体部２１の一端部開口からガイド本体部２１の内部へと保持部材４（係止部４１２）を挿通する。ここで、ガイド本体部２１に対し保持部材４を挿通する際に、ガイド本体部２１及び保持部材４の相対位置関係が正規の相対位置関となっていれば、第二誤取付防止部４１１Ａは、前記両対称部２３Ａ，２３Ｂ間の下側の隙間を通って、ガイド本体部２１の外へと出る。その結果、被係止部２３に対し係止部４１２は接触又は近接した状態となる。また、軸方向位置維持手段８によって、係止部４１２が被係止部２３に接触又は接近した状態（すなわち、被係止部２３へと係止部４１２が係止又はほぼ係止され、保持部材４及びガイド部材２が中心軸ＣＬ１方向に沿って適切な位置関係とされた状態）で、ガイド部材２及び保持部材４の相対移動が規制される。
【００８３】
一方、本実施形態では、上述の通り、保持部材４を上下逆にした状態で、すなわち、ガイド本体部２１及び保持部材４の相対位置関係を誤った相対位置関係とした状態で、ガイド本体部２１の一端部開口から保持部材４（係止部４１２）をガイド本体部２１へと挿通することができるような構成となっている。従って、誤った位置関係で保持部材４が取付けられてしまうことが懸念される。しかし、本実施形態では、保持部材４を上下逆にした状態で、保持部材４（係止部４１２）をガイド本体部２１の一端部開口からガイド本体部２１内へと挿通していくと、第二誤取付防止部４１１Ａと第一誤取付防止部２３Ｃとが接触する。これにより、保持部材４のそれ以上の移動が規制され、被係止部２３に対し係止部４１２が係止された状態とはならない（例えば、本来係止部４１２が係止されるべき被係止部２３に対し、少なくとも一部の係止部４１２が係止されない）こととなる。その結果、取付作業者は、通常、ガイド本体部２１に対し保持部材４を挿通する段階で、保持部材４がガイド本体部２１に対し誤った位置関係になっていることを容易に把握可能となっている。
【００８４】
ガイド部材２に対し保持部材４をセットした後、機構保持部４２の他端側（ガイド部材２から出ている側）から機構保持部４２の内周に操作側機構部５を挿通し、保持部材４に対し操作側機構部５を取付けた状態とする。操作側機構部５には、予めチューブ部材１２が接続されており、また、このチューブ部材１２の内周には、伝達部材７が挿通された状態となっている。尚、保持部材４に操作側機構部５を取付けた後、ガイド本体部２１へと保持部材４を挿通してもよい。
【００８５】
次いで、ガイド被挿通部３１１とオーバーフロー口１０２とをほぼ同軸とした状態で、側壁部１０１の裏側に、継手部材３を配置する。尚、継手部材３の一端部には、シール部材１１が予め取付けられた状態とされている。
【００８６】
その後、伝達部材７を先頭にして、伝達部材７、保持部材４及びガイド部材２を、オーバーフロー口１０２を通して、継手部材３に挿通する。そして、ガイド部材２の鍔部２２を側壁部１０１に対し近接又は接触した状態とする。
【００８７】
次いで、保持部材４の透孔４１４を通して、前記雄ねじ１０をねじ穴３１２Ａに対し螺合する。これにより、係止部４１２が被係止部２３に対し確実に係止されるとともに、鍔部２２及び継手部材３によって洗面ボール１００（側壁部１０１）が挟み込まれた状態となり、洗面ボール１００に対しガイド部材２、継手部材３、保持部材４及び操作側機構部５が取付けられる。
【００８８】
尚、本実施形態では、上記の通り、前記中心軸ＣＬ１と直交する方向に沿ったガイド被挿通部３１１及びガイド本体部２１の相対移動が規制されるとともに、前記中心軸ＣＬ１と直交する方向に沿ったガイド本体部２１に対する係止部４１２の相対移動が規制される。そのため、中心軸ＣＬ１と直交する方向に沿ったガイド部材２、継手部材３及び保持部材４等の相対位置は、ガイド部材２を基準とした一定位置に定まることとなる。従って、部材の位置調節を特に行うことなく、各部材をより正確に一定位置に配置することができる。その結果、良好な美観をより確実に得ることができるとともに、取付作業性の向上を図ることが可能となっている。
【００８９】
また、万が一、ガイド本体部２１に対し保持部材４を挿通する段階で、両者が誤った相対位置関係となっていることを取付作業者が把握できなかったとしても、保持部材４を上下逆にした状態では、被係止部２３に対し係止部４１２が係止された状態とはならないため、ねじ穴３１２Ａに対する雄ねじ１０の螺合に支障が生じたり、また仮にねじ穴３１２Ａへと雄ねじ１０を螺合できたとしても、ガイド部材２や保持部材４の取付状態が不安定なものとなったりする。そのため、取付作業者は、保持部材４がガイド本体部２１に対し誤った位置関係になっていることを確実に把握可能である。
【００９０】
洗面ボール１００に対するガイド部材２等の取付後、操作軸５２の一端部に操作ボタン６を取付ける。これにより、洗面ボール１００に対する操作装置１の取付が完了する。
【００９１】
以上詳述したように、本実施形態によれば、ガイド部材２はその全体が薄肉の高剛性材料からなるため、鍔部２２に相当する部位を別体とした場合に必要となる、鍔部２２に相当する部位とその他の部位とを固定するための構造や、両者を固定するための工程は不要となる。そのため、製造コストの低減や生産性の向上を図ることができる。
【００９２】
さらに、鍔部２２に相当する部位を別体とした場合に懸念される、ガイド部材２の耐久性低下といった事態は生じることなく、ガイド部材２において十分な耐久性をより確実に確保することができる。
【００９３】
加えて、本実施形態によれば、比較的簡便な手法によって、洗面ボール１００に対しガイド部材２や継手部材３等を取付けることができ、良好な取付作業性を得ることができる。
【００９４】
また、取付後においては、被係止部２３に対し鍔部２２から遠ざかる方向の引っ張り力が加わった状態となる。そのため、洗面ボール１００側に対し鍔部２２を強く押付けた状態とすることができ、洗面ボール１００に対しガイド部材２を強固かつ安定した状態で固定することができる。
【００９５】
さらに、洗面ボール１００や、洗面ボール１００及び継手部材３間に配置されるシール部材１１の厚さの変化によって、洗面ボール１００の表面に対する継手部材３の相対位置が変化する一方、洗面ボール１００などの厚さが変わったとしても、洗面ボール１００の表面に対するガイド部材２やこれに係止される保持部材４の相対位置は変化せず一定とされる。従って、保持部材４に保持される操作側機構部５や操作側機構部５により支持される操作ボタン６についても、洗面ボール１００の表面に対する相対位置を一定とすることができる。これにより、特段の対処を行うことなく、様々な取付対象物に対し、その表面に対する相対位置が一定となった状態で操作ボタン６を配置することができる。
【００９６】
また、軸方向位置維持手段８によって、保持部材４の係止部４１２がガイド部材２の被係止部２３に接触又は接近した状態で、両部材２，４の相対移動を規制することができ、前記中心軸ＣＬ１方向に沿った両部材２，４の相対位置を一定位置にて維持することができる。従って、操作装置１の取付時などにおいて、ガイド部材２に対して保持部材４が容易に動いてしまったり、ガイド部材２から保持部材４が抜けてしまったりすることをより確実に防止できる。その結果、より良好な取付作業性を得ることができる。
【００９７】
さらに、直交方向位置維持手段９により、前記中心軸ＣＬ１と直交する方向に沿ったガイド部材２及び保持部材４の相対位置を一定に保つことができる。これにより、操作装置１の取付やメンテナンス（交換）時などにおいて、前記直交方向に沿った、保持部材４により支持される操作側機構部５とガイド部材２との相対位置を容易に一定に保つことができ、ひいては、前記直交方向に沿った、ガイド部材２と操作ボタン６との相対位置についても容易に一定に保つことができる。従って、取付後の操作装置１において、ガイド部材２に対する操作ボタン６の位置ずれが生じてしまうことをより確実に防止できる。その結果、良好な美観をより確実に得ることができるとともに、ガイド部材２によって操作ボタン６をより適切にガイドすることが可能となる。
【００９８】
また、操作装置１の取付時などにおいて、前記直交方向に沿ったガイド部材２に対する保持部材４の位置を特に調節する必要がなくなり、さらに、保持部材４の透孔４１４を通したねじ穴３１２Ａに対する雄ねじ１０の螺合などを容易に行うことができる。これにより、取付作業性を一層向上させることができる。
【００９９】
加えて、ガイド本体部２１の内部に浸入した水〔通常、重力によってガイド本体部２１の内側面下部に付着した（溜まった）状態となる〕を、ガイド本体部２１の内側面下部を伝わせつつ、隙間部４１２Ａ及び流出部２３Ｄを通して、ガイド本体部２１の外部へと流出させることができる。従って、ガイド本体部２１の内部（例えば、ガイド本体部２１の内側面下部とこれに接触する保持部材４とで形成された凹み状の角部分など）において水が溜まってしまうことをより確実に防止できる。その結果、ガイド本体部２１や保持部材４に対する汚れの付着を抑制することができ、衛生性や清掃性を高めることができる。
【０１００】
さらに、仮にガイド本体部２１及び保持部材４を誤った相対位置関係とした状態で、係止部４１２をガイド本体部２１内へと挿通してしまった場合であっても、第一誤取付防止部２３Ｃ及び第二誤取付防止部４１１Ａが接触することで、係止部４１２のそれ以上の挿通が規制され、ひいては被係止部２３に対し係止部４１２が係止された状態となってしまうことを防止できる。従って、取付作業者が細心の注意を払わずとも、誤った相対位置関係でガイド部材２や保持部材４が取付けられてしまうことをより確実に防止できる。これにより、取付作業性の向上をより図ることができるとともに、取付られた操作装置１において、想定した機能を十分に発揮させることができる。
【０１０１】
また、操作ボタン６が保持部材４に設けられた保護部４１３と接触することで、操作ボタン６における過度の往動を規制することができる。これにより、例えば操作ボタン６に対し過度の押圧力が加えられること等によって、操作側機構部５やこれを保持する機構保持部４２に対し、過度に大きな力が加わってしまうことを抑制できる。そのため、機構保持部４２から操作側機構部５が外れてしまったり、操作側機構部５や機構保持部４２に破損が生じてしまったりすることをより確実に防止できる。その結果、装置の耐久性を効果的に高めることができる。
【０１０２】
尚、上記実施形態の記載内容に限定されず、例えば次のように実施してもよい。勿論、以下において例示しない他の応用例、変更例も当然可能である。
【０１０３】
（ａ）上記実施形態において、ガイド本体部２１の中心軸ＣＬ１は斜め水平方向に延びるものとされているが、中心軸ＣＬ１は水平方向に延びるものであってもよい。この場合においても、ガイド本体部２１の内部に浸入した水は、ガイド本体部２１の内側面下部に付着した（溜まった）状態となるが、隙間部４１２Ａ及び流出部２３Ｄの存在により、浸入した水をガイド本体部２１の外部へと流出させることができる。
【０１０４】
尚、ガイド本体部２１の中心軸ＣＬ１が、上述した水平方向や斜め水平方向とは異なる方向（例えば、鉛直方向）に延びるように構成してもよい。
【０１０５】
（ｂ）上記実施形態において、ガイド本体部２１の内側面は、前記中心軸ＣＬ１と直交する断面において矩形状をなしているが、この形状については適宜変更可能である。従って、例えば、ガイド本体部の内側面を、前記断面において円形状や楕円形状、正方形状、多角形状などにしてもよい。また、ガイド本体部の形状変更に合わせて、保持部材や操作ボタン等の形状を変更してもよい。
【０１０６】
尚、ガイド本体部の内側面及び保持部材の外縁部分（係止部）を断面円形状や断面楕円形状などとしたときには、ガイド本体部の中心軸の周方向に沿ったガイド本体部及び保持部材の相対位置関係を正規の相対位置関係とは異なる誤った相対位置関係とした状態で、係止部を、ガイド本体部の一端部開口からガイド本体部内へと挿通可能となることがある。このような場合には、上記実施形態にあるように、第一誤取付防止部及び第二誤取付防止部によって、誤った相対位置関係とした状態で係止部をガイド本体部の一端部開口からガイド本体部内へと挿通したときに、被係止部に対し係止部が係止された状態とならないように構成することが好ましい。
【０１０７】
（ｃ）上記実施形態において、隙間部４１２Ａは、外環部４１に設けられた窪みによって形成されているが、隙間部の構成はこれに限定されるものではない。従って、例えば、外環部における下側の長辺部分をその長手方向に沿って不連続な状態とし（例えば、一部が切断されたような状態とし）、この不連続部分を形成する隙間によって、隙間部を構成してもよい。また、例えば、外環部における下側の長辺部分全域を、ガイド本体部２１の内側面下部から離間させた状態とすることで、前記長辺部分とガイド本体部の内側面下部との間に形成された隙間によって、隙間部を構成してもよい。
【０１０８】
（ｄ）上記実施形態において、操作装置１は、洗面ボール１００に取付けられているが、操作装置１の取付対象はこれに限られるものではない。例えば、洗面ボール以外の槽体（例えば、浴槽や流し台など）に操作装置１を取付けることとしてもよい。また、槽体の近傍に設けられた構造物（例えば、洗面ボール近傍に設けられたカウンタや流し台のカウンタ等）に対し操作装置１を取付けることとしてもよい。
【符号の説明】
【０１０９】
１…操作装置、２…ガイド部材、３…継手部材、４…保持部材、５…操作側機構部、６…操作ボタン、７…伝達部材、８…軸方向位置維持手段、９…直交方向位置維持手段、１０…雄ねじ、２１…ガイド本体部、２２…鍔部、２３…被係止部、２３Ｃ…第一誤取付防止部、２３Ｄ…流出部、３１…ガイド被挿通部、４２…機構保持部、５２…操作軸、１００…洗面ボール（槽体、取付対象物）、１０２…オーバーフロー口（貫通孔）、３１２Ａ…ねじ穴、４１１Ａ…第二誤取付防止部、４１２…係止部、４１２Ａ…隙間部、４１３…保護部、４１４…透孔、ＣＬ１…（ガイド本体部の）中心軸、ＣＬ２…（ガイド被挿通部の）中心軸。
【図１】
2018087408.tif 000003
【図２】
2018087408.tif 000004
【図３】
2018087408.tif 000005
【図４】
2018087408.tif 000006
【図５】
2018087408.tif 000007
【図６】
2018087408.tif 000008
【図７】
2018087408.tif 000009
【図８】
2018087408.tif 000010
【図９】
2018087408.tif 000011
【図１０】
2018087408.tif 000012
【図１１】
2018087408.tif 000013
【図１２】
2018087408.tif 000014